(57)【要約】【課題】記録開始の指示を行ってから記録開始までに遅延が発生した場合であっても、簡易な構成で、遅延分のコンテンツデータを含む所望のコンテンツデータを記録機器に記録させることができるコンテンツ記録システムを提供する。【解決手段】テレビジョン受像機１は、記録開始の指示に応じて、第１指示信号をＨＤＭＩケーブルＣ１を介してＨＤＤレコーダ２に送信するとともにコンテンツデータの第１記録手段への記録を開始し、ＨＤＤレコーダ２から記録オン状態を示す通知信号を受信したタイミングで記録を停止して、第１記憶手段に記録したコンテンツデータをＬＡＮケーブルＣ２を介してＨＤＤレコーダ２に送信する。ＨＤＤレコーダ２は、第２記憶手段に記録したコンテンツデータとテレビジョン受像機１から受信したコンテンツデータとを結合する。【選択図】図１
2011030073.tif 000002
【特許請求の範囲】
【請求項１】
コンテンツデータを受信する第１受信手段を有するテレビジョン受像機と、ＨＤＭＩケーブルを介して当該テレビジョン受像機と接続された記録機器と、を備えるコンテンツ記録システムにおいて、
前記テレビジョン受像機及び前記記録機器は、ＡＶケーブルを介して接続され、
前記テレビジョン受像機は、
ユーザによる記録開始の指示の入力および記録停止の指示の入力を受け付ける入力手段と、
コンテンツデータを記録する第１記録手段と、
前記入力手段により記録開始の指示が入力された場合に、記録開始を指示する第１指示信号を、前記ＨＤＭＩケーブルを介して前記記録機器に送信するとともに、前記第１受信手段により受信されたコンテンツデータの前記第１記録手段への記録を開始する第１制御手段と、
前記記録機器から記録オン状態を示す通知信号を受信したタイミングで、前記第１記録手段におけるコンテンツデータの記録を停止する第２制御手段と、
前記入力手段により記録停止の指示が入力された場合に、記録停止を指示する第２指示信号を、前記ＨＤＭＩケーブルを介して前記記録機器に送信する第３制御手段と、
前記第１記録手段に記録されたコンテンツデータを、前記ＡＶケーブルを介して前記記録機器に送信する第４制御手段と、
を備え、
前記記録機器は、
コンテンツデータを受信する第２受信手段と、
コンテンツデータを記録する第２記録手段と、
前記テレビジョン受像機から前記第１指示信号を受信した場合に、記録準備を行い、当該記録準備の終了後に、前記第２受信手段により受信されたコンテンツデータの前記第２記録手段への記録を開始するとともに、記録オン状態を示す通知信号を、前記ＨＤＭＩケーブルを介して前記テレビジョン受像機に送信する第５制御手段と、
前記テレビジョン受像機から送信されるコンテンツデータを前記第２記録手段に記録する第６制御手段と、
前記テレビジョン受像機から前記第２指示信号を受信した場合に、前記第２記録手段におけるコンテンツデータの記録を停止する第７制御手段と、
前記第５制御手段により前記第２記録手段に記録したコンテンツデータと、前記ＡＶケーブルを介して前記テレビジョン受像機から受信したコンテンツデータと、を結合する第８制御手段と、
を備えることを特徴とするコンテンツ記録システム。
【請求項２】
コンテンツデータを受信する第１受信手段を有するテレビジョン受像機と、ＨＤＭＩケーブルを介して当該テレビジョン受像機と接続された記録機器と、を備えるコンテンツ記録システムにおいて、
前記テレビジョン受像機及び前記記録機器は、ＡＶケーブルを介して接続され、
前記テレビジョン受像機は、
ユーザによる記録開始の指示の入力および記録停止の指示の入力を受け付ける入力手段と、
コンテンツデータを記録する第１記録手段と、
前記記録機器から受信した記録オン状態を示す通知信号に基づいて、前記記録機器が、電源オフ状態から記録オン状態に移行するまでの所要時間を計測する計測手段と、
前記記録機器の電源状態を検出する検出手段と、
前記入力手段により記録開始の指示が入力された場合に、記録開始を指示する第１指示信号を、前記ＨＤＭＩケーブルを介して前記記録機器に送信するとともに、前記第１受信手段により受信されたコンテンツデータの前記第１記録手段への記録を開始する第１制御手段と、
前記検出手段により、前記第１指示信号を送信した時点で前記記録機器が電源オフ状態にあることを検出した場合に、前記第１記録手段におけるコンテンツデータの記録の開始から前記所要時間経過後のタイミングに、前記第１記録手段におけるコンテンツデータの記録を停止する第２制御手段と、
前記入力手段により記録停止の指示が入力された場合に、記録停止を指示する第２指示信号を、前記ＨＤＭＩケーブルを介して前記記録機器に送信する第３制御手段と、
前記第１記録手段に記録されたコンテンツデータを、前記ＡＶケーブルを介して前記記録機器に送信する第４制御手段と、
を備え、
前記記録機器は、
コンテンツデータを受信する第２受信手段と、
コンテンツデータを記録する第２記録手段と、
前記テレビジョン受像機から前記第１指示信号を受信した場合に、記録準備を行い、当該記録準備の終了後に、前記第２受信手段により受信されたコンテンツデータの前記第２記録手段への記録を開始する第５制御手段と、
記録オン状態を示す通知信号を、前記ＨＤＭＩケーブルを介して前記テレビジョン受像機に送信する第６制御手段と、
前記テレビジョン受像機から前記第２指示信号を受信した場合に、前記第２記録手段におけるコンテンツデータの記録を停止する第７制御手段と、
前記第４制御手段により前記ＡＶケーブルを介して前記テレビジョン受像機から送信されるコンテンツデータを前記第２記録手段に記録する第８制御手段と、
前記第５制御手段により前記第２記録手段に記録したコンテンツデータと、前記ＡＶケーブルを介して前記テレビジョン受像機から受信したコンテンツデータと、を結合する第９制御手段と、
を備えることを特徴とするコンテンツ記録システム。
【発明の詳細な説明】
【技術分野】
【０００１】
本発明は、コンテンツ記録システムに関する。
【背景技術】
【０００２】
近年、非圧縮のデジタル映像・音声信号を、１本のケーブルで伝送することができるＨＤＭＩ（High-Definition Multimedia Interface）規格が普及している。ＨＤＭＩ規格では、ＣＥＣ（Consumer Electronics Control）と呼ばれる機器間制御機能が規定されており、ＨＤＭＩケーブルにより接続された機器間でＣＥＣコマンドを双方向に送受信し合うことで、１台のリモコンの操作で、機器の連携動作が実現されている。
【０００３】
ＣＥＣで実現可能な機能の一つに、ワンタッチレコード（One Touch Record）と呼ばれる機能がある。この機能は、例えば、テレビジョン受像機と録画機器とがＨＤＭＩケーブルにより接続されている場合に、ワンタッチレコード（One Touch Record）を指示する釦を操作するだけで、テレビジョン受像機で視聴中の番組を録画機器に録画させることができるというものである。
【０００４】
ところが、一般に、録画機器は完全スタンバイ状態から録画開始可能なレディー状態に移行するまで、数１０秒〜１分間程度の時間を要する。したがって、ワンタッチレコード（One Touch Record）の実行に際して、録画機器が完全スタンバイ状態にある場合には、ワンタッチレコードを指示してから実際に録画を開始するまで遅延が発生し、遅延分のコンテンツデータを録画できないという問題が発生してしまう。
【０００５】
こうした録画開始時における遅延の問題を解決するため、例えば、録画を指示してから、テレビジョン受像機に接続された録画機器が録画可能な状態となるまでの間、録画番組をテレビジョン受像機側の一時記憶メモリに蓄積する技術が提案されている（例えば特許文献１参照）。
また、視聴中の映像フレームを常時監視し、記録開始の指示が入力された場合に、記録開始の指示が入力された際のフレームを特定し、特定したフレームから記録の開始を行うように構成したコンテンツ記録装置が提案されている（例えば特許文献２参照）。
【先行技術文献】
【特許文献】
【０００６】
【特許文献１】特開２００８−２２７９３８号公報
【特許文献２】特開２００６−１９８５６号公報
【発明の概要】
【発明が解決しようとする課題】
【０００７】
しかしながら、上記特許文献１では、録画番組がテレビジョン受像機と録画機器との両方に分離された状態で蓄積されることとなる。そのため、再生時に、一時記憶メモリからの出力を、途中で録画機器からの出力に切り替える必要があり、適切なタイミングで出力を行ってスムーズな再生を実現するための制御が必要となる。また、特許文献１では、録画可能な状態に移行するまで遅延した分のコンテンツデータは録画機器側に記録されないため、例えば、録画機器に記録されたコンテンツデータだけを他の機器で再生する場合には、遅延分のコンテンツデータが欠けてしまうという問題があった。
また、特許文献２では、記録開始の指示が入力されたタイミングのフレームのフレーム情報を検出するとともに、バッファに保存されているコンテンツデータからフレーム情報に対応するデータを特定するための新たな構成が必要となり、処理が複雑化するという問題があった。さらに、特許許文献２では、コンテンツ記録装置１台でコンテンツデータの受信と記録とを行っており、テレビジョン受像機と記録装置とがＨＤＭＩケーブルで接続されるシステムにおいて、テレビジョン受像機で視聴中のコンテンツを記録装置に記録するワンタッチレコードに適用される技術ではなかった。
【０００８】
本発明の課題は、記録開始の指示を行ってから記録開始までに遅延が発生した場合であっても、簡易な構成で、遅延分のコンテンツデータを含む所望のコンテンツデータを記録機器に記録させることができるコンテンツ記録システムを提供することである。
【課題を解決するための手段】
【０００９】
前記課題を解決するために、請求項１に記載の発明は、
コンテンツデータを受信する第１受信手段を有するテレビジョン受像機と、ＨＤＭＩケーブルを介して当該テレビジョン受像機と接続された記録機器と、を備えるコンテンツ記録システムにおいて、
前記テレビジョン受像機及び前記記録機器は、ＡＶケーブルを介して接続され、
前記テレビジョン受像機は、
ユーザによる記録開始の指示の入力および記録停止の指示の入力を受け付ける入力手段と、
コンテンツデータを記録する第１記録手段と、
前記入力手段により記録開始の指示が入力された場合に、記録開始を指示する第１指示信号を、前記ＨＤＭＩケーブルを介して前記記録機器に送信するとともに、前記第１受信手段により受信されたコンテンツデータの前記第１記録手段への記録を開始する第１制御手段と、
前記記録機器から記録オン状態を示す通知信号を受信したタイミングで、前記第１記録手段におけるコンテンツデータの記録を停止する第２制御手段と、
前記入力手段により記録停止の指示が入力された場合に、記録停止を指示する第２指示信号を、前記ＨＤＭＩケーブルを介して前記記録機器に送信する第３制御手段と、
前記第１記録手段に記録されたコンテンツデータを、前記ＡＶケーブルを介して前記記録機器に送信する第４制御手段と、
を備え、
前記記録機器は、
コンテンツデータを受信する第２受信手段と、
コンテンツデータを記録する第２記録手段と、
前記テレビジョン受像機から前記第１指示信号を受信した場合に、記録準備を行い、当該記録準備の終了後に、前記第２受信手段により受信されたコンテンツデータの前記第２記録手段への記録を開始するとともに、記録オン状態を示す通知信号を、前記ＨＤＭＩケーブルを介して前記テレビジョン受像機に送信する第５制御手段と、
前記テレビジョン受像機から送信されるコンテンツデータを前記第２記録手段に記録する第６制御手段と、
前記テレビジョン受像機から前記第２指示信号を受信した場合に、前記第２記録手段におけるコンテンツデータの記録を停止する第７制御手段と、
前記第５制御手段により前記第２記録手段に記録したコンテンツデータと、前記ＡＶケーブルを介して前記テレビジョン受像機から受信したコンテンツデータと、を結合する第８制御手段と、
を備えることを特徴とする。
【００１０】
請求項２に記載の発明は、
コンテンツデータを受信する第１受信手段を有するテレビジョン受像機と、ＨＤＭＩケーブルを介して当該テレビジョン受像機と接続された記録機器と、を備えるコンテンツ記録システムにおいて、
前記テレビジョン受像機及び前記記録機器は、ＡＶケーブルを介して接続され、
前記テレビジョン受像機は、
ユーザによる記録開始の指示の入力および記録停止の指示の入力を受け付ける入力手段と、
コンテンツデータを記録する第１記録手段と、
前記記録機器から受信した記録オン状態を示す通知信号に基づいて、前記記録機器が、電源オフ状態から記録オン状態に移行するまでの所要時間を計測する計測手段と、
前記記録機器の電源状態を検出する検出手段と、
前記入力手段により記録開始の指示が入力された場合に、記録開始を指示する第１指示信号を、前記ＨＤＭＩケーブルを介して前記記録機器に送信するとともに、前記第１受信手段により受信されたコンテンツデータの前記第１記録手段への記録を開始する第１制御手段と、
前記検出手段により、前記第１指示信号を送信した時点で前記記録機器が電源オフ状態にあることを検出した場合に、前記第１記録手段におけるコンテンツデータの記録の開始から前記所要時間経過後のタイミングに、前記第１記録手段におけるコンテンツデータの記録を停止する第２制御手段と、
前記入力手段により記録停止の指示が入力された場合に、記録停止を指示する第２指示信号を、前記ＨＤＭＩケーブルを介して前記記録機器に送信する第３制御手段と、
前記第１記録手段に記録されたコンテンツデータを、前記ＡＶケーブルを介して前記記録機器に送信する第４制御手段と、
を備え、
前記記録機器は、
コンテンツデータを受信する第２受信手段と、
コンテンツデータを記録する第２記録手段と、
前記テレビジョン受像機から前記第１指示信号を受信した場合に、記録準備を行い、当該記録準備の終了後に、前記第２受信手段により受信されたコンテンツデータの前記第２記録手段への記録を開始する第５制御手段と、
記録オン状態を示す通知信号を、前記ＨＤＭＩケーブルを介して前記テレビジョン受像機に送信する第６制御手段と、
前記テレビジョン受像機から前記第２指示信号を受信した場合に、前記第２記録手段におけるコンテンツデータの記録を停止する第７制御手段と、
前記第４制御手段により前記ＡＶケーブルを介して前記テレビジョン受像機から送信されるコンテンツデータを前記第２記録手段に記録する第８制御手段と、
前記第５制御手段により前記第２記録手段に記録したコンテンツデータと、前記ＡＶケーブルを介して前記テレビジョン受像機から受信したコンテンツデータと、を結合する第９制御手段と、
を備えることを特徴とする。
【発明の効果】
【００１１】
本発明のコンテンツ記録システムによれば、記録開始の指示を行ってから記録開始までに遅延が発生した場合であっても、記録開始の指示が入力されてから記録機器において記録が開始されるまでの遅延分のコンテンツデータがテレビジョン受像機において記録されて記録機器に送信され、記録機器において、記録機器において記録されたコンテンツデータと、テレビジョン受像機から送信された遅延分のコンテンツデータとが結合されるため、簡易な構成で、遅延分のコンテンツデータを含む所望のコンテンツデータを記録機器に記録させることができる。
【図面の簡単な説明】
【００１２】
【図１】第１の実施形態のコンテンツ記録システムの全体構成を示す図である。
【図２】第１の本実施形態のコンテンツ記録システムを構成するテレビジョン受像機及びＨＤＤレコーダの機能的構成を示すブロック図である。
【図３】第１の実施形態のコンテンツ記録システムにおいて実行されるコンテンツ記録処理の流れを示すフローチャートである。
【図４】第２の実施形態のコンテンツ記録システムを構成するテレビジョン受像機及びＨＤＤレコーダの機能的構成を示すブロック図である。
【図５】第２の実施形態のコンテンツ記録システムにおいて実行される所要時間計測処理の流れを示すフローチャートである。
【図６】第２の実施形態のコンテンツ記録システムにおいて実行されるコンテンツ記録処理の流れを示すフローチャートである。
【発明を実施するための形態】
【００１３】
以下、本発明に係る実施の形態について、図面を参照しながら説明する。なお、本発明の範囲は、以下の実施例及び図示例に限定されるものではない。
【００１４】
〔第１の実施形態〕
まず、第１の実施形態のコンテンツ記録システムについて説明する。
第１の実施形態のコンテンツ記録システム１００は、図１に示すように、テレビジョン受像機１と、記録機器としてのＨＤＤ(Hard Disk Drive)レコーダ２とが、ＨＤＭＩ（High-Definition Multimedia Interface）規格のＨＤＭＩケーブルＣ１を介して接続されてなる。テレビジョン受像機１およびＨＤＤレコーダ２は、共に、ＨＤＭＩ規格におけるＣＥＣ（Consumer Electronics Control）機能を備えている。
なお、記録機器はＨＤＤレコーダ２に限られること無く、ＨＤＭＩ規格のＣＥＣに準拠したものである限り、任意の記録機器を用いることができる。例えば、ＢＤ（Blue-ray Disc）レコーダ、ＤＶＤ(Digital Versatile Disc)レコーダ、Ｄ−ＶＨＳ（Data Video Home System）レコーダ等を記録機器として用いても良い。
【００１５】
ＨＤＭＩケーブルＣ１には、映像データや音声データ等のコンテンツデータを伝送するためのＴＭＤＳ（Transition Minimized Differential Signaling）ラインが含まれ、ＨＤＤレコーダ２から読み出されたコンテンツデータは、ＴＭＤＳライン経由でテレビジョン受像機１に送信される。
また、ＨＤＭＩケーブルＣ１には、双方向通信が可能なＣＥＣラインが設けられており、このＣＥＣラインを介してＣＥＣコマンドを相互に送受信することで、テレビジョン受像機１とＨＤＤレコーダ２との間で、後述するワンタッチレコード（One Touch Record）を始めとする各種の連携動作を行うことができる。
【００１６】
さらに、テレビジョン受像機１とＨＤＤレコーダ２とは、ＡＶケーブルとしてのＬＡＮ（Local Area Network）ケーブルＣ２により接続されている。このＬＡＮケーブルＣ２は、後述するワンタッチレコード（One Touch Record）（記録）の実行に際して、テレビジョン受像機１において受信した映像データや音声データ等のコンテンツデータを、テレビジョン受像機１からＨＤＤレコーダ２に送信するためのものである。
なお、コンテンツデータの送受信には、ＬＡＮケーブルＣ２等のネットワークケーブルの代わりに、ＵＳＢ（Universal Serial Bus）、ＩＥＥＥ１３９４ケーブル等のデジタルインターフェース、アナログインターフェース等、その他任意のインターフェースを用いることができる。
【００１７】
（テレビジョン受像機）
まず、本実施形態のコンテンツ記録システム１００を構成するテレビジョン受像機１について説明する。
本実施形態のテレビジョン受像機１は、例えば、デジタルテレビジョン放送信号の受信を行うテレビジョン受像機１であり、図１に示すように、ユーザが各種指示を入力するリモートコントローラ（以下、「リモコン」と称する）１１と、リモコン１１により遠隔操作される装置本体１２と、を備えて構成される。
【００１８】
リモコン１１は、ユーザが装置本体１２に対して各種指示を入力するための複数の釦を備える。例えば、リモコン１１には、ワンタッチレコード（One Touch Record）（記録）の開始を指示するためのワンタッチレコード釦と、ワンタッチレコード（One Touch Record）等の記録の停止を指示するための記録停止釦と、が設けられており、本発明の入力手段を構成する。
また、リモコン１１には、その他、電源釦、番組表表示釦、数字釦、入力切換釦、音声切換釦、戻る釦、上下左右の釦から成るカーソル釦、決定釦、チャンネルアップ／ダウン釦、ボリュームアップ／ダウン釦（いずれも図示せず）等が備わる。
これらの釦の各々には予め識別情報が割り当てられ、所定の記憶領域に記憶されている。そして、ユーザにより釦の操作が行われると、操作された釦の識別情報が読み出されて、読み出された識別情報に対応するリモコン信号が生成され、生成されたリモコン信号が図示しない送信部から送信されるようになっている。
【００１９】
装置本体１２は、図２に示すように、リモコン信号受光部１３、ＨＤＭＩレシーバ１４、アンテナ１５、第１受信手段としてのチューナ１６、復調部１７、デコーダ部１８、映像処理部１９、音声処理部２０、表示部２１、音声出力部２２、第１記録手段としてのＦＩＦＯメモリ２３、ＬＡＮＩ／Ｆ２４、制御部２５等を備えている。
【００２０】
リモコン信号受光部１３は、フォトダイオード、ＳＵＢＣＰＵ、増幅部、復調部、デコーダ（いずれも図示せず）等を備えて構成されている。ＳＵＢＣＰＵは、リモコン１１から送信されたリモコン信号を、装置本体１２の前面パネル等に設けられたフォトダイオードにおいて受信すると、受信したリモコン信号を増幅部により増幅させ、復調部において復調させ、デコーダにより波形整形、誤り訂正等の各種処理を行わせた後に、制御部２５に出力する。制御部２５では、入力されたリモコン信号から識別情報を取得し、取得した識別情報に基づいて操作された釦の判別を行う。
【００２１】
ＨＤＭＩレシーバ１４は、ＨＤＭＩ入力端子を備え、ＨＤＭＩケーブルＣ１により接続されたＨＤＤレコーダ２との間で、映像・音声データ等のコンテンツデータや、ＣＥＣコマンド等の制御信号の送受信を行う。
【００２２】
アンテナ１５は、屋外において所定の方角に向けて配置され、放送局側から発信される高周波のデジタル放送信号を受信する。
【００２３】
チューナ１６は、制御部２５からの選局指示にしたがって、アンテナ１５等により入力された高周波信号のデジタル放送信号の中から特定周波数帯の信号を抽出し、中間周波信号（IF信号）に変換した後、ＡＤ変換等を行い、復調部１７に出力する。
【００２４】
復調部１７は、例えば、制御部２５からの制御に基づいて、チューナ１６において選局されたチャンネルの信号に対してデジタル復調や誤り訂正等の処理を実行し、トランスポートストリーム（ＴＳ：Transport Stream）を生成して、デコーダ部１８又はＦＩＦＯメモリ２３に出力する。具体的には、通常のテレビジョン放送の視聴中に、復調部１７から出力されるコンテンツデータ（ＴＳ）は、ユーザ視聴用としてデコーダ部１８に供給される。一方、テレビジョン放送の視聴中にワンタッチレコード（One Touch Record）が実行される場合、ワンタッチレコードを開始した時点からＨＤＤレコーダ２から後述する記録オン状態を示す<Record Status>コマンド（通知信号）を受信するまでの間に、復調部１７から出力されるコンテンツデータ（ＴＳ）は、ユーザ視聴用としてデコーダ部１８に供給される一方で、ＨＤＤレコーダ２供給用としてＦＩＦＯメモリ２３にも供給される。そして、ＨＤＤレコーダ２から<Record Status>コマンド（通知信号）を受信した後は、復調部１７から出力されるコンテンツデータ（ＴＳ）は、ユーザ視聴用としてデコーダ部１８に供給される。
【００２５】
デコーダ部１８は、分離部（Demultiplexer）１８１、ビデオデコーダ１８２、オーディオデコーダ１８３、データデコーダ１８４等を備えて構成されている。
【００２６】
分離部１８１は、復調部１７から入力されるＴＳを、ビデオストリーム、オーディオストリーム、ＰＳＩ／ＳＩ等の複数のストリームに分離する。そして、ＰＳＩに基づいて必要なＴＳパケットを取得し、ＭＰＥＧ２（Moving Picture Experts Group 2）規格下のビデオストリームをビデオデコーダ１８２に、オーディオストリームをオーディオデコーダ１８３に出力する。さらに、分離部１８１は、番組情報（ＳＩ）等のデータをデータデコーダ１８４に出力する。
【００２７】
ビデオデコーダ１８２は、分離部１８１から入力されるビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部１９に出力する。
オーディオデコーダ１８３は、分離部１８１から入力されるオーディオストリームを復号し、音声データを生成して音声処理部２０に出力する。
データデコーダ１８４は、分離部１８１から入力されるデータを復号し、必要な情報を取得して制御部２５や図示しないＯＳＤ回路に供給する。
【００２８】
映像処理部１９は、ビデオデコーダ１８２から入力された映像データに対して各種映像処理を施して映像信号を生成し、表示部２１に出力する。
音声処理部２０は、オーディオデコーダ１８３から入力された音声データに対して各種音声処理を施して音声信号を生成し、音声出力部２２に出力する。
【００２９】
表示部２１は、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部１９から入力された映像信号に基づく映像をディスプレイに表示させる。
音声出力部２２は、スピーカ（図示省略）等を備えて構成され、音声処理部２０から入力された音声信号に基づく音声を増幅して、スピーカから出力する。
【００３０】
ＦＩＦＯメモリ２３は、ワンタッチレコード（One Touch Record）の実行時に、復調部１７から入力されるコンテンツデータを、ＦＩＦＯ（First In, First Out）形式で記録する。具体的には、ＦＩＦＯメモリ２３は、ユーザによりリモコン１１のワンタッチレコード釦が操作されて、ワンタッチレコード（One Touch Record）の開始の指示が入力された場合に、制御部２５による制御にしたがって、復調部１７から入力されるコンテンツデータを一時的に記録する。ＦＩＦＯメモリ２３に記録されたコンテンツデータは、その後、ＨＤＤレコーダ２が記録オン状態に移行した後に順次読み出され、ＬＡＮＩ／Ｆ２４を介してＨＤＤレコーダ２に出力されることとなる。
【００３１】
また、このＦＩＦＯメモリ２３は、リングバッファ構造を有しており、記録容量が最大に達すると、先頭に戻って上書き記録する。そして、ＦＩＦＯメモリ２３は、少なくとも、ワンタッチレコード（One Touch Record）の開始時に、テレビジョン受像機１からＨＤＤレコーダ２に録画開始を指示する<Record On>コマンド（第１指示信号）を送信してから、このコマンドに応じてＨＤＤレコーダ２から送信された<Record Status>コマンド（通知信号）を受信するまでの間に、テレビジョン受像機１において受信されるコンテンツデータを記録可能なだけの容量を有している。
【００３２】
ＬＡＮＩ／Ｆ２４は、ＬＡＮ端子を備え、ワンタッチレコード（One Touch Record）の実行において、ＦＩＦＯメモリ２３から順次読み出されたコンテンツデータを、ＬＡＮケーブルＣ２を介してＨＤＤレコーダ２に送信する。
【００３３】
制御部２５は、ＣＰＵ（Central Processing Unit）２５１、ＲＡＭ（Random Access Memory）２５２、ＲＯＭ（Read Only Memory）２５３等を備えて構成され、テレビジョン受像機１の各部を制御する。
【００３４】
ＣＰＵ２５１は、各部から入力された入力信号に応じて、ＲＯＭ２５３に格納された処理プログラム等を読み出してＲＡＭ２５２に展開して実行し、装置本体１２の各部に出力信号を出力することにより、テレビジョン受像機１全体の制御を行う。
【００３５】
ＲＡＭ２５２は、ＣＰＵ２５１により実行される各種プログラムを展開するプログラム格納領域や、入力データやこれらの処理プログラムが実行される際に生じる処理結果等を格納するデータ格納領域を備え、ＣＰＵ２５１のワークエリアとして用いられる。
【００３６】
ＲＯＭ２５３は、処理プログラムやデータ等を予め記憶しており、例えば、第１制御プログラム２５３ａ、第２制御プログラム２５３ｂ、第３制御プログラム２５３ｃ、第４制御プログラム２５３ｄ等が格納されている。
【００３７】
第１制御プログラム２５３ａは、ＣＰＵ２５１に、リモートコントローラ１１において記録開始の指示が入力された場合に、記録開始を指示する<Record On>コマンド（第１指示信号）を、ＨＤＭＩケーブルＣ１を介してＨＤＤレコーダ２に送信するとともに、チューナ１６において受信されたコンテンツデータのＦＩＦＯメモリ２３への記録を開始する機能を実現させるためのプログラムである。本実施形態では、かかる第１制御プログラム２５３ａ、ＣＰＵ２５１により、本発明の第１制御手段が構成される。
【００３８】
第２制御プログラム２５３ｂは、ＣＰＵ２５１に、ＨＤＤレコーダ２から記録オン状態を示す<Record Status>コマンド（通知信号）を受信したタイミングで、ＦＩＦＯメモリ２３におけるコンテンツデータの記録を停止する機能を実現させるためのプログラムである。本実施形態では、かかる第２制御プログラム２５３ｂ、ＣＰＵ２５１により、本発明の第２制御手段が構成される。
【００３９】
第３制御プログラム２５３ｃは、ＣＰＵ２５１に、リモートコントローラ１１において記録停止の指示が入力された場合に、記録停止を指示する<Record Off>コマンド（第２指示信号）を、ＨＤＭＩケーブルＣ１を介してＨＤＤレコーダ２に送信する機能を実現させるためのプログラムである。本実施形態では、かかる第３制御プログラム２５３ｃ、ＣＰＵ２５１により、本発明の第３制御手段が構成される。
【００４０】
第４制御プログラム２５３ｄは、ＣＰＵ２５１に、ＦＩＦＯメモリ２３に記録されたコンテンツデータを、ＬＡＮケーブルＣ２を介してＨＤＤレコーダ２に送信する機能を実現させるためのプログラムである。本実施形態では、かかる第４制御プログラム２５３ｄ、ＣＰＵ２５１により、本発明の第４制御手段が構成される。
【００４１】
（ＨＤＤレコーダ）
次に、本実施形態のコンテンツ記録システム１００を構成するＨＤＤレコーダ２について説明する。
ＨＤＤレコーダ２は、図２に示すように、ＨＤＭＩトランスミッタ３１、ＬＡＮＩ／Ｆ３２、受信部３３、記録制御部３４、第２記録手段としての記録部３５、制御部３６等を備えて構成され、ＨＤＭＩケーブルＣ１及びＬＡＮケーブルＣ２を介して、テレビジョン受像機１と接続されている。
【００４２】
ＨＤＭＩトランスミッタ３１は、ＨＤＭＩ出力端子を備え、テレビジョン受像機１との間で、ＨＤＭＩケーブルＣ１を介して、映像・音声データ等のコンテンツデータや、ＣＥＣコマンド等の制御信号の送受信を仲介する。
【００４３】
ＬＡＮＩ／Ｆ３２は、例えば、ＬＡＮ端子を備え、ワンタッチレコード（One Touch Record）の実行において、テレビジョン受像機１から、ＬＡＮケーブルＣ２を介して送信されるコンテンツデータを受信する。
【００４４】
受信部３３は、例えば、チューナ等から構成され、放送局側から発信され、アンテナにおいて受信した高周波のデジタル放送信号の中から特定周波数帯の信号を抽出し、中間周波信号（IF信号）に変換した後、ＡＤ変換等を行って復調部１７に出力する。
【００４５】
記録制御部３４は、入力されるコンテンツデータを記録部３５において磁気ディスクに書き込み可能なファイル形式に変換するとともに、制御部３６からの制御にしたがって、記録部３５に対するデータの読み出し／書き込み等を制御する。
【００４６】
記録部３５は、図示は省略するが、内蔵された磁気ディスクと、磁気ディスクに対するデータの記録或いは磁気ディスクに記録されたデータの読み出しを行う磁気ヘッドと、磁気ディスクを回転駆動させるスピンドルモータと、磁気ヘッドを磁気ディスクの半径方向に移動させるためのアクチュエータと、等を備えて構成され、磁気ヘッドと磁気ディスクとの間には、電流を供給することにより磁界を発生する微小な隙間が設けられている。そして、当該磁気ディスクを高速に回転させ、アクチュエータにより磁気ヘッドを磁気ディスク上に移動させてデータの読み書きを行う。
【００４７】
制御部３６は、ＣＰＵ３６１、ＲＡＭ３６２、ＲＯＭ３６３等を備えて構成され、ＨＤＤレコーダ２の各部を制御する。
【００４８】
ＣＰＵ３６１は、各部から入力された入力信号に応じて、ＲＯＭ３６３に格納された処理プログラム等を読み出してＲＡＭ３６２に展開して実行し、装置本体１２の各部に出力信号を出力することにより、ＨＤＤレコーダ２全体の制御を行う。
【００４９】
ＲＡＭ３６２は、ＣＰＵ３６１により実行される各種プログラムを展開するプログラム格納領域や、入力データやこれらの処理プログラムが実行される際に生じる処理結果等を格納するデータ格納領域を備え、ＣＰＵ３６１のワークエリアとして用いられる。
【００５０】
ＲＯＭ３６３は、処理プログラムやデータ等を予め記憶しており、例えば、第５制御プログラム３６３ａ、第６制御プログラム３６３ｂ、第７制御プログラム３６３ｃ、第８制御プログラム３６３ｄ等が格納されている。
【００５１】
第５制御プログラム３６３ａは、ＣＰＵ３６１に、テレビジョン受像機１から<Record On>コマンド（第１指示信号）を受信した場合に、記録準備を行い、当該記録準備の終了後に、受信部３３により受信されたコンテンツデータの記録部３５への記録を開始するとともに、記録オン状態を示す<Record Status>コマンド（通知信号）を、ＨＤＭＩケーブルＣ１を介してテレビジョン受像機１に送信する機能を実現させるためのプログラムである。本実施形態では、かかる第５制御プログラム３６３ａ、ＣＰＵ３６１により、本発明の第５制御手段が構成される。
【００５２】
第６制御プログラム３６３ｂは、ＣＰＵ３６１に、テレビジョン受像機１から送信されるコンテンツデータを記録部３５に記録する機能を実現させるためのプログラムである。本実施形態では、かかる第６制御プログラム３６３ｂ、ＣＰＵ３６１により、本発明の第６制御手段が構成される。
【００５３】
第７制御プログラム３６３ｃは、ＣＰＵ３６１に、テレビジョン受像機１から<Record Off>コマンド（第２指示信号）を受信した場合に、記録部３５におけるコンテンツデータの記録を停止する機能を実現させるためのプログラムである。本実施形態では、かかる第７制御プログラム３６３ｃ、ＣＰＵ３６１により、本発明の第７制御手段が構成される。
【００５４】
第８制御プログラム３６３ｄは、ＣＰＵ３６１に、第６制御プログラム３６３ｂの実行により記録部３５に記録したコンテンツデータと、ＬＡＮケーブルＣ２を介してテレビジョン受像機１から受信したコンテンツデータとを結合する機能を実現させるためのプログラムである。本実施形態では、かかる第８制御プログラム３６３ｄ、ＣＰＵ３６１により、本発明の第８制御手段が構成される。
【００５５】
（コンテンツ記録処理）
次に、本実施形態のコンテンツ記録システム１００において、上記第１制御プログラム２５３ａ〜第４制御プログラム２５３ｄ、第５制御プログラム３６３ａ〜第８制御プログラム３６３ｄの実行により、テレビジョン受像機１とＨＤＤレコーダ２との間で行われるコンテンツ記録処理について、図３のフローチャートを参照しながら説明する。
【００５６】
まず、テレビジョン受像機１では、チューナ１６により受信されたコンテンツデータに基づくテレビジョン放送の視聴が行われている。ユーザは、テレビジョン放送の視聴中に、ＨＤＤレコーダ２に記録を開始したい任意の箇所で、リモコン１１のワンタッチレコード釦を操作し、ワンタッチレコードの開始を指示する。
【００５７】
リモコン１１のワンタッチレコード釦が操作されると（ステップＳ１）、テレビジョン受像機１のＣＰＵ２５１は、ワンタッチレコード（記録）開始の指示が入力されたと判断し、チューナ１６により受信されたコンテンツデータをＦＩＦＯメモリ２３に出力して記録を開始する（ステップＳ２）。また、テレビジョン受像機１のＣＰＵ２５１は、ＦＩＦＯメモリ２３への記録を開始する一方で、コンテンツデータの記録開始を指示する<Record On>コマンド（第１指示信号）を、ＨＤＭＩケーブルＣ１のＣＥＣラインを介してＨＤＤレコーダ２に送信する（ステップＳ３）。
【００５８】
一方、ＨＤＤレコーダ２のＣＰＵ３６１は、テレビジョン受像機１からＨＤＭＩケーブルＣ１を介して送信された<Record On>コマンド（第１指示信号）を、ＨＤＭＩトランスミッタ３１において受信すると、記録準備を行う。
ここで、<Record On>コマンド（第１指示信号）を受信したタイミングで、ＨＤＤレコーダ２が完全スタンバイ状態にある場合、ＨＤＤレコーダ２は、<Record On>コマンド（第１指示信号）を受信すると、まず、完全スタンバイ状態から電源オン状態に遷移を開始する（ステップＳ４）。そして、電源オン状態に移行後、記録部３５における記録準備を行う（ステップＳ５）。さらに、テレビジョン受像機１から指定されたコンテンツデータを受信部３３において受信し、受信したコンテンツデータを記録制御部３４を介して記録部３５に出力し、記録部３５においてコンテンツデータの磁気ディスクへの記録を開始する（ステップＳ６）。これにより、ＨＤＤレコーダ２は、記録オン状態となる。
記録オン状態への移行後、さらに、ＨＤＤレコーダ２のＣＰＵ３６１は、記録オン状態にあることを示す<Record Status>コマンド（通知信号）を、ＨＤＭＩケーブルＣ１のＣＥＣラインを介してテレビジョン受像機１に送信する（ステップＳ７）。
【００５９】
そして、テレビジョン受像機１のＣＰＵ２５１は、ＨＤＤレコーダ２からＨＤＭＩケーブルＣ１のＣＥＣラインを介して送信された<Record Status>コマンド（通知信号）を、ＨＤＭＩレシーバ１４において受信すると、ＦＩＦＯメモリ２３におけるコンテンツデータの記録を停止する（ステップＳ８）。
これにより、テレビジョン受像機１では、ワンタッチレコード開始の指示が入力された時点から、ＨＤＤレコーダ２において実際に記録が開始されるまでの間に、チューナ１６において受信したコンテンツデータが、ＦＩＦＯメモリ２３に記録されることとなる。
【００６０】
次に、ユーザは、ＨＤＤレコーダ２への記録を停止したい任意の箇所で、リモコン１１の記録停止釦を操作し、ワンタッチレコードの停止の指示を入力する。
【００６１】
リモコン１１においてワンタッチレコード停止の操作が行われると（ステップＳ９）、テレビジョン受像機１のＣＰＵ２５１は、コンテンツデータの記録停止を指示する<Record Off>コマンド（第２指示信号）を、ＨＤＭＩケーブルＣ１のＣＥＣラインを介してＨＤＤレコーダ２に送信する（ステップＳ１０）。
【００６２】
一方、ＨＤＤレコーダ２のＣＰＵ３６１は、テレビジョン受像機１からＨＤＭＩケーブルＣ１を介して送信された<Record Off>コマンド（第２指示信号）を、ＨＤＭＩトランスミッタ３１において受信すると、記録部３５におけるコンテンツデータの記録を停止する（ステップＳ１１）。
【００６３】
次に、テレビジョン受像機１のＣＰＵ２５１は、ＦＩＦＯメモリ２３に記録したコンテンツデータを、ＬＡＮケーブルＣ２を介してＨＤＤレコーダ２に送信する（ステップＳ１２）。
そして、ＨＤＤレコーダ２は、ＬＡＮＩ／Ｆ３２において、テレビジョン受像機１から送信されたコンテンツデータを受信すると、受信したコンテンツデータと、記録部３５に記録したコンテンツデータとを結合し（ステップＳ１３）、結合後のコンテンツデータを記録部３５に記録して、本処理を終了する。
【００６４】
これにより、テレビジョン受像機１において、テレビジョン放送を視聴中のユーザが、画面を見ながら任意の箇所でワンタッチレコード釦の操作と記録停止釦の操作とを行うと、ワンタッチレコード釦が操作された時点からＨＤＤレコーダ２において実際に記録が開始されるまでに遅延が発生した場合であっても、ワンタッチレコード釦が操作された時点から記録停止釦が操作される時点までのコンテンツデータが全て、ＨＤＤレコーダ２において記録されることとなる。
【００６５】
以上説明した第１の実施形態のコンテンツ記録システム１００によれば、ＨＤＭＩ接続されたテレビジョン受像機１及び記録機器（ＨＤＤレコーダ２）が、ＡＶケーブル（ＬＡＮケーブルＣ２）を介して接続される。また、テレビジョン受像機１において、ユーザによる記録（ワンタッチレコード）開始の指示の入力および記録停止の指示の入力が受け付ける入力手段（リモコン１１）と、コンテンツデータを記録する第１記録手段（ＦＩＦＯメモリ２３）とが備わり、第１制御手段（第１制御プログラム２５３ａ、ＣＰＵ２５１）により、入力手段（リモコン１１）により記録開始の指示が入力された場合に、記録開始を指示する<Record On>コマンド（第１指示信号）が、ＨＤＭＩケーブルＣ１を介して記録機器（ＨＤＤレコーダ２）に送信されるとともに、第１受信手段（チューナ１６）により受信されたコンテンツデータの第１記録手段（ＦＩＦＯメモリ２３）への記録が開始され、第２制御手段（第２制御プログラム２５３ｂ、ＣＰＵ２５１）により、記録機器（ＨＤＤレコーダ２）から記録オン状態を示す<Record Status>コマンド（通知信号）を受信したタイミングで、第１記録手段（ＦＩＦＯメモリ２３）におけるコンテンツデータの記録が停止され、第３制御手段（第３制御プログラム２５３ｃ、ＣＰＵ２５１）により、入力手段（リモコン１１）により記録停止の指示が入力された場合に、記録停止を指示する<Record Off>コマンド（第２指示信号）が、ＨＤＭＩケーブルＣ１を介して記録機器（ＨＤＤレコーダ２）に送信され、第４制御手段（第４制御プログラム２５３ｄ、ＣＰＵ２５１）により、第１記録手段（ＦＩＦＯメモリ２３）に記録されたコンテンツデータが、ＡＶケーブル（ＬＡＮケーブルＣ２）を介して記録機器（ＨＤＤレコーダ２）に送信される。
また、記録機器（ＨＤＤレコーダ２）において、第２受信手段（受信部３３）により、コンテンツデータが受信され、第２記録手段（記録部３５）により、コンテンツデータが記録され、第５制御手段（第５制御プログラム３６３ａ、ＣＰＵ３６１）により、テレビジョン受像機１から<Record On>コマンド（第１指示信号）を受信した場合に、記録準備が行われ、当該記録準備の終了後に、第２受信手段（受信部３３）により受信されたコンテンツデータの第２記録手段（記録部３５）への記録が開始されるとともに、記録オン状態を示す<Record Status>コマンド（通知信号）が、ＨＤＭＩケーブルＣ１を介してテレビジョン受像機１に送信され、第６制御手段（第６制御プログラム３６３ｂ、ＣＰＵ３６１）により、テレビジョン受像機１から送信されるコンテンツデータが第２記録手段（記録部３５）に記録され、第７制御手段（第７制御プログラム３６３ｃ、ＣＰＵ３６１）により、テレビジョン受像機１から<Record Off>コマンド（第２指示信号）を受信した場合に、第２記録手段（記録部３５）におけるコンテンツデータの記録が停止され、第８制御手段（第８制御プログラム３６３ｄ、ＣＰＵ３６１）により、第５制御手段（第５制御プログラム３６３ａ、ＣＰＵ３６１）により第２記録手段（記録部３５）に記録したコンテンツデータと、ＡＶケーブル（ＬＡＮケーブルＣ２）を介してテレビジョン受像機１から受信したコンテンツデータと、が結合される。
これにより、テレビジョン受像機から記録機器に対して記録開始を指示する第１指示信号を送信してから記録機器において記録が開始されるまで遅延が発生した場合、テレビジョン受像機において、第１指示信号を送信してから記録機器から記録オン状態を示す通知信号を受信するまでの間に受信した遅延分のコンテンツデータが第１記録手段に記録され、その後第１記録手段に記録された遅延分のコンテンツデータが記録機器に送信され、記録機器において、第２記録手段に記録されたコンテンツデータと結合されることとなる。すなわち、第１記録手段において、記録開始の指示を行ってから記録機器において実際に記録が開始されるまでの遅延分のコンテンツデータのみが記録されるため、テレビジョン受像機の第１記憶手段に記録された遅延分のコンテンツデータと、記録機器の第２記録手段に記録されたコンテンツデータとを、特別な編集処理を行うことなく結合することが可能となる。よって、記録開始の指示を行ってから記録機器において実際に記録が開始されるまで遅延が発生した場合であっても、簡易な構成で、遅延分のコンテンツデータを含む所望のコンテンツデータの全てを記録機器に記録させることができる。
【００６６】
また、テレビジョン受像機において、記録機器から記録オン状態を示す通知信号を受信したタイミングで第１記録手段における記録が停止されるため、より正確に、遅延分のコンテンツデータのみを第１記録手段に記録することができる。
【００６７】
〔第２の実施形態〕
次に、第２の実施形態のコンテンツ記録システム２００について説明する。なお、以下では、上記第１の実施形態のコンテンツ記録システム１００と同様の構成には、同じ符号を付すとともに説明を省略し、第１の実施形態のコンテンツ記録システムと異なる部分のみ説明する。
ここで、上記第１の実施形態では、テレビジョン受像機において、ＦＩＦＯメモリへのコンテンツデータの記録を開始した後に、ＨＤＤレコーダから記録オン状態を示す<Record Status>コマンド（通知信号）を受信したタイミングでコンテンツデータの記録を停止する場合について説明した。しかしながら、ＨＤＤレコーダに記録開始を指示する<Record On>コマンド（第１指示信号）を送ってからＨＤＤレコーダが記録オン状態に遷移するまでの時間は、予め計測することができる。以下では、ＨＤＤレコーダに記録開始を指示する<Record On>コマンド（第１指示信号）を送ってからＨＤＤレコーダが記録オン状態に遷移するまでの所要時間を予め計測しておき、ワンタッチレコード（One Touch Record）の実行に際して、予め計測した所要時間に基づいて、ＦＩＦＯメモリへのコンテンツデータの記録の停止を行う場合について説明する。
【００６８】
第２の実施形態のコンテンツ記録システム２００は、図４に示すように、テレビジョン受像機１ａと、記録機器としてのＨＤＤ(Hard Disk Drive)レコーダ２ａとが、ＨＤＭＩ（High-Definition Multimedia Interface）規格のＨＤＭＩケーブルＣ１を介して接続されてなる。
【００６９】
第２の実施形態のテレビジョン受像機１ａは、例えば、デジタルテレビジョン放送信号の受信を行うテレビジョン受像機１ａであり、ユーザが各種指示を入力するリモートコントローラ１１と装置本体１２とから構成される。装置本体１２は、図４に示すように、リモコン信号受光部１３、ＨＤＭＩレシーバ１４、アンテナ１５、第１受信手段としてのチューナ１６、復調部１７、デコーダ部１８、映像処理部１９、音声処理部２０、表示部２１、音声出力部２２、第１記録手段としてのＦＩＦＯメモリ２３、ＬＡＮＩ／Ｆ２４、制御部４１等を備えている。
【００７０】
テレビジョン受像機１ａの制御部４１は、ＣＰＵ４１１、ＲＡＭ２５２、計測部４１２、ＲＯＭ４１３等を備えて構成され、テレビジョン受像機１ａの各部を制御する。
【００７１】
ＣＰＵ４１１は、各部から入力された入力信号に応じて、ＲＯＭ４１３に格納された処理プログラム等を読み出してＲＡＭ２５２に展開して実行し、装置本体１２の各部に出力信号を出力することにより、テレビジョン受像機１ａ全体の制御を行う。
【００７２】
計測部４１２は、後述する所要時間計測処理において、テレビジョン受像機１ａからＨＤＤレコーダ２ａにワンタッチレコード（One Touch Record）における記録開始を指示する<Record On>コマンド（第１指示信号）を送信してから、このコマンドに応じてＨＤＤレコーダ２ａから送信された<Record Status>コマンド（通知信号）を受信するまでの時間を計測することで、ＨＤＤレコーダ２ａが電源オフ状態から記録オン状態に移行するまでの所要時間を計測する。計測部４１２において計測された所要時間は、所定の記憶領域に記憶される。
【００７３】
ＲＯＭ４１３は、処理プログラムやデータ等を予め記憶しており、例えば、計測プログラム４１３ａ、第１制御プログラム４１３ｂ、第２制御プログラム４１３ｃ、第３制御プログラム４１３ｄ、第４制御プログラム４１３ｅ等が格納されている。
【００７４】
計測プログラム４１３ａは、ＣＰＵ４１１に、ＨＤＤレコーダ２ａから受信した記録オン状態を示す<Record Status>コマンド（通知信号）に基づいて、ＨＤＤレコーダ２ａが電源オフ状態から記録オン状態に移行するまでの所要時間を計測する機能を実現させるためのプログラムである。本実施形態では、かかる計測プログラム４１３ａ、ＣＰＵ４１１、計測部４１２により、計測手段が構成される。
【００７５】
第１制御プログラム４１３ｂは、ＣＰＵ４１１に、リモートコントローラ１１において記録開始の指示が入力された場合に、記録開始を指示する<Record On>コマンド（第１指示信号）を、ＨＤＭＩケーブルＣ１を介してＨＤＤレコーダ２ａに送信するとともに、チューナ１６により受信されたコンテンツデータのＦＩＦＯメモリ２３への記録を開始する機能を実現させるためのプログラムである。本実施形態では、かかる第１制御プログラム４１３ｂ、ＣＰＵ４１１により、第１制御手段が構成される。
【００７６】
第２制御プログラム４１３ｃは、ＣＰＵ４１１に、ＨＤＤレコーダ２ａの電源状態を検出させ、<Record On>コマンド（第１指示信号）を送信した時点でＨＤＤレコーダ２ａが電源オフ状態にあることを検出した場合に、ＦＩＦＯメモリ２３におけるコンテンツデータの記録の開始から所要時間経過後のタイミングに、ＦＩＦＯメモリ２３におけるコンテンツデータの記録を停止する機能を実現させるためのプログラムである。本実施形態では、かかる第２制御プログラム４１３ｃ、ＣＰＵ４１１により、検出手段及び第２制御手段が構成される。
【００７７】
第３制御プログラム４１３ｄは、ＣＰＵ４１１に、リモートコントローラ１１において記録停止の指示が入力された場合に、記録停止を指示する<Record Off>コマンド（第２指示信号）を、ＨＤＭＩケーブルＣ１を介してＨＤＤレコーダ２ａに送信する機能を実現させるためのプログラムである。本実施形態では、かかる第３制御プログラム４１３ｄ、ＣＰＵ４１１により、第３制御手段が構成される。
【００７８】
第４制御プログラム４１３ｅは、ＣＰＵ４１１に、ＦＩＦＯメモリ２３に記録されたコンテンツデータを、ＬＡＮケーブルＣ２を介してＨＤＤレコーダ２ａに送信する機能を実現させるためのプログラムである。本実施形態では、かかる第４制御プログラム４１３ｅ、ＣＰＵ４１１により、第４制御手段が構成される。
【００７９】
第２の実施形態のＨＤＤレコーダ２ａは、図４に示すように、ＨＤＭＩトランスミッタ３１、ＬＡＮＩ／Ｆ３２、受信部３３、記録制御部３４、第２記録手段としての記録部３５、制御部５１等を備えて構成され、ＨＤＭＩケーブルＣ１及びＬＡＮケーブルＣ２を介して、テレビジョン受像機１ａと接続されている。
【００８０】
ＨＤＤレコーダ２ａの制御部５１は、ＣＰＵ５１１、ＲＡＭ３６２、ＲＯＭ５１２等を備えて構成され、ＨＤＤレコーダ２ａの各部を制御する。
【００８１】
ＣＰＵ５１１は、各部から入力された入力信号に応じて、ＲＯＭ５１２に格納された処理プログラム等を読み出してＲＡＭ３６２に展開して実行し、装置本体１２の各部に出力信号を出力することにより、ＨＤＤレコーダ２ａ全体の制御を行う。
【００８２】
ＲＯＭ５１２は、処理プログラムやデータ等を予め記憶しており、例えば、第５制御プログラム５１２ａ、第６制御プログラム５１２ｂ、第７制御プログラム５１２ｃ、第８制御プログラム５１２ｄ、第９制御プログラム５１２ｅ等が格納されている。
【００８３】
第５制御プログラム５１２ａは、ＣＰＵ５１１に、テレビジョン受像機１ａから<Record On>コマンド（第１指示信号）を受信した場合に、記録準備を行い、当該記録準備の終了後に、受信部３３により受信されたコンテンツデータの記録部３５への記録を開始する機能を実現させるためのプログラムである。本実施形態では、かかる第５制御プログラム５１２ａ、ＣＰＵ５１１により、本発明の第５制御手段が構成される。
【００８４】
第６制御プログラム５１２ｂは、ＣＰＵ５１１に、記録オン状態を示す<Record Status>コマンド（通知信号）を、ＨＤＭＩケーブルＣ１を介してテレビジョン受像機１ａに送信する機能を実現させるためのプログラムである。本実施形態では、かかる第６制御プログラム５１２ｂ、ＣＰＵ５１１により、第６制御手段が構成される。
【００８５】
第７制御プログラム５１２ｃは、ＣＰＵ５１１に、テレビジョン受像機１ａから<Record Off>コマンド（第２指示信号）を受信した場合に、記録部３５におけるコンテンツデータの記録を停止する機能を実現させるためのプログラムである。本実施形態では、かかる第７制御プログラム５１２ｃ、ＣＰＵ５１１により、本発明の第７制御手段が構成される。
【００８６】
第８制御プログラム５１２ｄは、ＣＰＵ５１１に、第４制御プログラム４１３ｅの実行によりＬＡＮケーブルＣ２を介してテレビジョン受像機１ａから送信されるコンテンツデータを記録部３５に記録する機能を実現させるためのプログラムである。本実施形態では、かかる第８制御プログラム５１２ｄ、ＣＰＵ５１１により、本発明の第８制御手段が構成される。
【００８７】
第９制御プログラム５１２ｅは、ＣＰＵ５１１に、第５制御プログラム５１２ａの実行により記録部３５に記録したコンテンツデータと、ＬＡＮケーブルＣ２を介してテレビジョン受像機１ａから受信したコンテンツデータとを結合する機能を実現させるためのプログラムである。本実施形態では、かかる第９制御プログラム５１２ｅ、ＣＰＵ５１１により、本発明の第９制御手段が構成される。
【００８８】
（所要時間計測処理）
次に、本実施形態のコンテンツ記録システム２００において、上記計測プログラム４１３ａ、第５制御プログラム５１２ａ、第６制御プログラム５１２ｂの実行により、テレビジョン受像機１ａ及びＨＤＤレコーダ２ａにおいて行われる所要時間計測処理について、図５のフローチャートを参照しながら説明する。
【００８９】
本所要時間計測処理は、例えば、テレビジョン受像機１ａとＨＤＤレコーダ２ａとの初期接続時や定期的なタイミング等であって、且つ、ＨＤＤレコーダ２ａが電源オフ状態にあるタイミングに実行される。なお、所要時間計測処理の実行タイミングは任意であり、例えば、本処理の実行時にＨＤＤレコーダ２ａが電源オン状態にある場合には、ＨＤＤレコーダ２ａが一旦電源オフに移行するように構成しても良い。
【００９０】
所要時間計測処理において、初めに、テレビジョン受像機１ａのＣＰＵ４１１は、コンテンツデータの記録開始を指示する<Record On>コマンド（第１指示信号）を、ＨＤＭＩケーブルＣ１のＣＥＣラインを介してＨＤＤレコーダ２ａに送信する（ステップＳ２１）。そして、計測部４１２において、ＨＤＤレコーダ２ａに対して<Record On>コマンド（第１指示信号）を送信してから、この<Record On>コマンド（第１指示信号）に応じて、ＨＤＤレコーダ２ａから記録オン状態にあることを示す<Record Status>コマンド（通知信号）を受信するまでの所要時間の計測を開始する（ステップＳ２２）。
【００９１】
ＨＤＤレコーダ２ａのＣＰＵ５１１は、テレビジョン受像機１ａからＨＤＭＩケーブルＣ１を介して送信された<Record On>コマンド（第１指示信号）を、ＨＤＭＩトランスミッタ３１において受信すると、まず、完全スタンバイ状態から電源オン状態に遷移を開始する（ステップＳ２３）。そして、電源オン状態に移行後、記録部３５における記録準備を行う（ステップＳ２４）。さらに、記録準備完了後、ＨＤＤレコーダ２ａのＣＰＵ５１１は、記録オン状態にあることを示す<Record Status>コマンド（通知信号）を、ＨＤＭＩケーブルＣ１のＣＥＣラインを介してテレビジョン受像機１ａに送信する（ステップＳ２５）。
【００９２】
一方、テレビジョン受像機１ａのＣＰＵ４１１は、ＨＤＤレコーダ２ａからＨＤＭＩケーブルＣ１のＣＥＣラインを介して送信された<Record Status>コマンド（通知信号）を、ＨＤＭＩレシーバ１４において受信すると、計測部４１２の計測値に基づいて、ＨＤＤレコーダ２ａに対して<Record On>コマンド（第１指示信号）を送信してから記録オン状態にあることを示す<Record Status>コマンド（通知信号）をＨＤＤレコーダ２ａから受信するまでの所要時間を特定する（ステップＳ２６）。そして、特定した所要時間を、所定の記録領域に記憶する。
【００９３】
（コンテンツ記録処理）
次に、本実施形態のコンテンツ記録システム２００において、上記第１制御プログラム４１３ｂ〜第４制御プログラム４１３ｅ、第５制御プログラム５１２ａ〜第９制御プログラム５１２ｅの実行により、テレビジョン受像機１ａとＨＤＤレコーダ２ａとの間で行われるコンテンツ記録処理について、図６のフローチャートを参照しながら説明する。
【００９４】
まず、テレビジョン受像機１ａでは、チューナ１６により受信されたコンテンツデータに基づくテレビジョン放送の視聴が行われている。ユーザは、テレビジョン放送の視聴中に、ＨＤＤレコーダ２ａに記録を開始したい任意の箇所で、リモコン１１のワンタッチレコード釦を操作し、ワンタッチレコードの開始を指示する。
【００９５】
リモコン１１のワンタッチレコード釦が操作されると（ステップＳ３１）、テレビジョン受像機１ａのＣＰＵ４１１は、ワンタッチレコード（記録）開始の指示が入力されたと判断し、ＨＤＭＩ端子の電圧値等に基づいてＨＤＤレコーダ２ａの電源状態を検出し、ＨＤＤレコーダ２ａが電源オフ状態にある場合には、チューナ１６により受信されたコンテンツデータをＦＩＦＯメモリ２３に出力して記録を開始するとともに、ＦＩＦＯメモリ２３における記録開始時刻を記憶する（ステップＳ３２）。また、テレビジョン受像機１ａのＣＰＵ４１１は、ＦＩＦＯメモリ２３への記録を開始する一方で、コンテンツデータの記録開始を指示する<Record On>コマンド（第１指示信号）を、ＨＤＭＩケーブルＣ１のＣＥＣラインを介してＨＤＤレコーダ２ａに送信する（ステップＳ３３）。
なお、テレビジョン受像機１ａのＣＰＵ４１１は、ワンタッチレコード開始の指示が入力されたタイミングで、ＨＤＤレコーダ２ａが電源オン状態にある場合には、必ずしもＦＩＦＯメモリ２３への記録を実行しなくても良い。
【００９６】
一方、ＨＤＤレコーダ２ａのＣＰＵ５１１は、テレビジョン受像機１ａからＨＤＭＩケーブルＣ１を介して送信された<Record On>コマンド（第１指示信号）を、ＨＤＭＩトランスミッタ３１において受信すると、記録準備を行う。
ここで、<Record On>コマンド（第１指示信号）を受信したタイミングで、ＨＤＤレコーダ２ａが完全スタンバイ状態にある場合、ＨＤＤレコーダ２ａは、<Record On>コマンド（第１指示信号）を受信すると、まず、完全スタンバイ状態から電源オン状態に遷移を開始する（ステップＳ３４）。そして、電源オン状態に移行後、記録部３５における記録準備を行う（ステップＳ３５）。さらに、テレビジョン受像機１ａから指定されたコンテンツデータを受信部３３において受信し、受信したコンテンツデータを記録制御部３４を介して記録部３５に出力し、記録部３５においてコンテンツデータの磁気ディスクへの記録を開始する（ステップＳ３６）。これにより、ＨＤＤレコーダ２ａは、記録オン状態となる。
記録オン状態への移行後、さらに、ＨＤＤレコーダ２ａのＣＰＵ５１１は、記録オン状態にあることを示す<Record Status>コマンド（通知信号）を、ＨＤＭＩケーブルＣ１のＣＥＣラインを介してテレビジョン受像機１ａに送信する（ステップＳ３７）。
【００９７】
一方、テレビジョン受像機１ａのＣＰＵ４１１は、ＦＩＦＯメモリ２３の記録開始時刻から、上述の所要時間計測処理により予め計測した所要時間が経過した時点で、ＦＩＦＯメモリ２３におけるコンテンツデータの記録を停止する（ステップＳ３８）。
これにより、テレビジョン受像機１ａでは、ワンタッチレコード開始の指示が入力された時点から、ＨＤＤレコーダ２ａにおいて実際に記録が開始されるまでの間に受信したコンテンツデータが、ＦＩＦＯメモリ２３に記録されることとなる。
なお、上述の所要時間計測処理により、テレビジョン受像機１ａにおいて、予め計測された所要時間に基づいてＦＩＦＯメモリ２３におけるコンテンツデータの記録停止が行われるため、ＨＤＤレコーダ２ａは、所要時間計測処理の実行時のみ記録オン状態を示す<Record Status>コマンド（通知信号）をテレビジョン受像機１ａに送信し、ワンタッチレコードの実行における記録オン状態移行時には<Record Status>コマンド（通知信号）をテレビジョン受像機１ａに送信しないように構成されていても良い。
【００９８】
次に、ユーザは、ＨＤＤレコーダ２ａへの記録を停止したい任意の箇所で、リモコン１１の記録停止釦を操作し、ワンタッチレコードの停止の指示を入力する。
【００９９】
リモコン１１においてワンタッチレコード停止の操作が行われると（ステップＳ３９）、テレビジョン受像機１ａのＣＰＵ４１１は、コンテンツデータの記録停止を指示する<Record Off>コマンド（第２指示信号）を、ＨＤＭＩケーブルＣ１のＣＥＣラインを介してＨＤＤレコーダ２ａに送信する（ステップＳ４０）。
【０１００】
一方、ＨＤＤレコーダ２ａのＣＰＵ５１１は、テレビジョン受像機１ａからＨＤＭＩケーブルＣ１を介して送信された<Record Off>コマンド（第２指示信号）を、ＨＤＭＩトランスミッタ３１において受信すると、記録部３５におけるコンテンツデータの記録を停止する（ステップＳ４１）。
【０１０１】
次に、テレビジョン受像機１ａのＣＰＵ４１１は、ＦＩＦＯメモリ２３に記録したコンテンツデータを、ＬＡＮケーブルＣ２を介してＨＤＤレコーダ２ａに送信する（ステップＳ４２）。
そして、ＨＤＤレコーダ２ａは、ＬＡＮＩ／Ｆ３２において、テレビジョン受像機１ａから送信されたコンテンツデータを受信すると、受信したコンテンツデータと、記録部３５に記録したコンテンツデータとを結合し（ステップＳ４３）、結合後のコンテンツデータを記録部３５に記録して、本処理を終了する。
【０１０２】
これにより、テレビジョン受像機１ａにおいて、テレビジョン放送を視聴中のユーザが、画面を見ながら任意の箇所でワンタッチレコード釦の操作と記録停止釦の操作とを行うと、ワンタッチレコード釦が操作された時点からＨＤＤレコーダ２ａにおいて実際に記録が開始されるまでに遅延が発生した場合であっても、ワンタッチレコード釦が操作された時点から記録停止釦が操作される時点までのコンテンツデータが全て、ＨＤＤレコーダ２ａにおいて記録されることとなる。
【０１０３】
以上説明した第２の実施形態のコンテンツ記録システム２００によれば、ＨＤＭＩ接続されたテレビジョン受像機１ａ及び記録機器（ＨＤＤレコーダ２ａ）が、ＡＶケーブル（ＬＡＮケーブルＣ２）を介して接続される。また、テレビジョン受像機１ａにおいて、ユーザによる記録開始の指示の入力および記録停止の指示の入力を受け付ける入力手段（リモートコントローラ１１）と、コンテンツデータを記録する第１記録手段（ＦＩＦＯメモリ２３）と、が備わり、計測手段（計測プログラム４１３ａ、ＣＰＵ４１１、計測部４１２）により、記録機器（ＨＤＤレコーダ２ａ）から受信した記録オン状態を示す<Record Status>コマンド（通知信号）に基づいて、記録機器（ＨＤＤレコーダ２ａ）が、電源オフ状態から記録オン状態に移行するまでの所要時間が計測される。また、第１制御手段（第１制御プログラム４１３ｂ、ＣＰＵ４１１）により、入力手段（リモートコントローラ１１）により記録開始の指示が入力された場合に、記録開始を指示する<Record On>コマンド（第１指示信号）が、ＨＤＭＩケーブルＣ１を介して記録機器（ＨＤＤレコーダ２ａ）に送信されるとともに、第１受信手段（チューナ１６）により受信されたコンテンツデータの第１記録手段（ＦＩＦＯメモリ２３）への記録が開始され、第２制御手段（第２制御プログラム４１３ｃ、ＣＰＵ４１１）により、記録機器（ＨＤＤレコーダ２ａ）の電源状態が検出され、<Record On>コマンド（第１指示信号）を送信した時点で記録機器（ＨＤＤレコーダ２ａ）が電源オフ状態にあることが検出された場合に、第１記録手段（ＦＩＦＯメモリ２３）におけるコンテンツデータの記録の開始から所要時間経過後のタイミングに、第１記録手段（ＦＩＦＯメモリ２３）におけるコンテンツデータの記録が停止され、第３制御手段（第３制御プログラム４１３ｄ、ＣＰＵ４１１）により、入力手段（リモートコントローラ１１）により記録停止の指示が入力された場合に、記録停止を指示する<Record Off>コマンド（第２指示信号）が、ＨＤＭＩケーブルＣ１を介して記録機器（ＨＤＤレコーダ２ａ）に送信され、第４制御手段（第４制御プログラム４１３ｅ、ＣＰＵ４１１）により、第１記録手段（ＦＩＦＯメモリ２３）に記録されたコンテンツデータが、ＡＶケーブル（ＬＡＮケーブルＣ２）を介して記録機器（ＨＤＤレコーダ２ａ）に送信される。また、記録機器（ＨＤＤレコーダ２ａ）において、コンテンツデータを受信する第２受信手段（受信部３３）と、コンテンツデータを記録する第２記録手段（記録部３５）と、が備わり、第５制御手段（第５制御プログラム５１２ａ、ＣＰＵ５１１）により、テレビジョン受像機１ａから<Record On>コマンド（第１指示信号）を受信した場合に、記録準備が行われ、当該記録準備の終了後に、第２受信手段（受信部３３）により受信されたコンテンツデータの第２記録手段（記録部３５）への記録が開始され、第６制御手段（第６制御プログラム５１２、ＣＰＵ５１１）により、記録オン状態を示す<Record Status>コマンド（通知信号）が、ＨＤＭＩケーブルＣ１を介してテレビジョン受像機１ａに送信され、第７制御手段（第７制御プログラム５１２ｃ、ＣＰＵ５１１）により、テレビジョン受像機１ａから<Record Off>コマンド（第２指示信号）を受信した場合に、第２記録手段（記録部３５）におけるコンテンツデータの記録が停止され、第８制御手段（第８制御プログラム５１２ｄ、ＣＰＵ５１１）により、第４制御手段（第４制御プログラム４１３ｅ、ＣＰＵ５１１）によりＡＶケーブル（ＬＡＮケーブルＣ２）を介してテレビジョン受像機１ａから送信されるコンテンツデータが第２記録手段（記録部３５）に記録され、第９制御手段（第９制御プログラム５１２ｅ、ＣＰＵ５１１）により、第５制御手段（第５制御プログラム５１２ａ、ＣＰＵ５１１）により第２記録手段（記録部３５）に記録したコンテンツデータと、ＡＶケーブル（ＬＡＮケーブルＣ２）を介してテレビジョン受像機１ａから受信したコンテンツデータと、が結合される。
これにより、テレビジョン受像機１ａにおいて、予め、第１指示信号を送信してから電源オン状態を示す通知信号を受信するまでの時間に基づいて、記録機器が電源オフ状態から記録オン状態を示す通知信号を受信するまでの所要時間が計測される。そして、テレビジョン受像機１ａにおいて、記録開始の指示が入力された場合に、記録機器が電源オフ状態にある場合には、記録機器に対して第１指示信号を送信してから予め計測した所要時間が経過するまでの間に受信したコンテンツデータが第１記録手段に記録され、第１記憶手段に記録されたコンテンツデータが記録機器に送信されて、記録機器において、第２記録手段に記録されたコンテンツデータと結合されることとなる。すなわち、第１記録手段において、記録開始の指示を行ってから記録機器において実際に記録が開始されるまでの遅延分のコンテンツデータのみが記録されるため、テレビジョン受像機の第１記憶手段に記録された遅延分のコンテンツデータと、記録機器の第２記録手段に記録されたコンテンツデータとを、特別な編集処理を行うことなく結合することが可能となる。したがって、記録開始の指示を行ってから記録機器において実際に記録が開始されるまで遅延が発生した場合であっても、簡易な構成で、遅延分のコンテンツデータを含む所望のコンテンツデータの全てを記録機器に記録させることができる。
【０１０４】
また、テレビジョン受像機において、記録機器が電源オフ状態から記録オン状態に移行するまでの所要時間が予め計測され、予め計測された所要時間に基づいて第１記録手段における記録が停止されるため、より簡易な構成で、遅延分のコンテンツデータのみを第１記録手段に記録することができる。
【０１０５】
なお、本発明の範囲は上記実施形態に限られることなく、本発明の趣旨を逸脱しない範囲において種々の改良並びに設計の変更を行っても良い。
【０１０６】
例えば、上記の各実施形態では、第１記録手段に記録したコンテンツデータを、記録機器における記録停止後に、記録機器に対して送信する場合について説明したが、第１記録手段に記録したコンテンツデータを記録機器に送信するタイミングは任意である。例えば、第１記録機器への記録が終了した後に送信する構成としても良く、また、第１記録機器への記録開始後に順次送信するように構成することもできる。
また、例えば、記録機器は、ワンタッチレコードの開始時に電源オフ状態にあった場合には、コンテンツデータの結合処理の終了後に、自動的に電源オフ状態に遷移するように構成されていても良い。
【０１０７】
また、その他、本発明が上記の実施形態に限定されず、適宜変更可能であることはいうまでもない。
【符号の説明】
【０１０８】
１００    コンテンツ記録システム
１        テレビジョン受像機
１６      チューナ（第１受信手段）
２３      ＦＩＦＯメモリ（第１記録手段）
２５１    ＣＰＵ（第１制御手段、第２制御手段、第３制御手段、第４制御手段）
２５３ａ  第１制御プログラム（第１制御手段）
２５３ｂ  第２制御プログラム（第２制御手段）
２５３ｃ  第３制御プログラム（第３制御手段）
２５３ｄ  第４制御プログラム（第４制御手段）
２        ＨＤＤレコーダ（記録機器）
３３      受信部（第２受信手段）
３５      記録部（第２記録手段）
３６１    ＣＰＵ（第５制御手段、第６制御手段、第７制御手段、第８制御手段）
３６３ａ  第５制御プログラム（第５制御手段）
３６３ｂ  第６制御プログラム（第６制御手段）
３６３ｃ  第７制御プログラム（第７制御手段）
３６３ｄ  第８制御プログラム（第８制御手段）
２００    コンテンツ記憶システム
１ａ      テレビジョン受像機
４１１    ＣＰＵ（計測手段、検出手段、第１制御手段、第２制御手段、第３制御手段、第４制御手段）
４１２    計測部（計測手段）
４１３ａ  計測プログラム（計測手段）
４１３ｂ  第１制御プログラム（第１制御手段）
４１３ｃ  第２制御プログラム（検出手段、第２制御手段）
４１３ｄ  第３制御プログラム（第３制御手段）
４１３ｅ  第４制御プログラム（第４制御手段）
２ａ      ＨＤＤレコーダ（記録機器）
５１１    ＣＰＵ（第５制御手段、第６制御手段、第７制御手段、第８制御手段、第９制御手段）
５１３ａ  第５制御プログラム（第５制御手段）
５１３ｂ  第６制御プログラム（第６制御手段）
５１３ｃ  第７制御プログラム（第７制御手段）
５１３ｄ  第８制御プログラム（第８制御手段）
５１３ｅ  第９制御プログラム（第９制御手段）
Ｃ１      ＨＤＭＩケーブル
Ｃ２      ＬＡＮケーブル（ＡＶケーブル）
【図１】
2011030073.tif 000003
【図２】
2011030073.tif 000004
【図３】
2011030073.tif 000005
【図４】
2011030073.tif 000006
【図５】
2011030073.tif 000007
【図６】
2011030073.tif 000008